(57)【要約】【課題】ここの発明は、脳卒中片麻痺や腓骨神経麻痺による内反尖足や下垂足、あるいは足の筋力低下による歩行困難が生じた者の歩行中の転倒を防止でき、しかも着用しやすい靴型装具を提供することを目的とする。【解決手段】上述の課題を解決するため、この発明の靴型装具１は、かかと部に開放部４を有する靴本体部２と、ベルト部材３を備えた靴型装具であり、ベルト部材３の固定端部は靴本体部２の外足側後部に固定されており、靴本体部２の小指の付け根部の位置にはベルト部材接続部５が設けられており、着用時においてベルト部材３は外足側のくるぶし上を通り、かかと開放部４をふさぎ、先端部がベルト部材接続部５に接続されるものである。【選択図】図１
2007313053.tif 000002
【特許請求の範囲】
【請求項１】
かかと部に開放部を有する靴本体部とベルト部材を備えた靴型装具であり、
ベルト部材の固定端部は靴本体部の外足側後部に固定されており、
靴本体部の小指の付け根部の位置にはベルト部材接続部が設けられており、
着用時においてベルト部材は外足側のくるぶし上を通り、かかと開放部をふさぎ、先端部がベルト部材接続部に接続されるものである、靴型装具。
【請求項２】
前記ベルト部材接続部が面ファスナである請求項１に記載の靴型装具。
【請求項３】
前記ベルト部材接続部が環状部材である請求項１に記載の靴型装具。
【発明の詳細な説明】
【技術分野】
【０００１】
この発明は、歩行の矯正に使用する転倒防止のための靴型装具に関するものである。
【背景技術】
【０００２】
脳卒中片麻痺や腓骨神経麻痺による内反尖足や下垂足、あるいは足の筋力低下による歩行困難が生じた者は、歩行中に転倒しやすい傾向にある。このような障害を有する者の矯正用装具として、例えば特許文献１には短下肢装具に関する発明が記載されている。
【特許文献１】特公平３−７５１７８号
【発明の開示】
【発明が解決しようとする課題】
【０００３】
特許文献１には、その短下肢装具によって、脳卒中片麻痺や腓骨神経麻痺などによる尖足・内反足・外反足・下垂足などのためのリハビリテーションを行うことが記載されている。同文献の特許請求の範囲の冒頭にも「尖足・内反足・外反足・下垂足等の矯正用装具であって、」と記載されている。このような矯正用装具は安全性の高い室内や医療施設内では有効かもしれないが、屋外の歩行においてこれらの症状を有する者は、転倒事故を起こしやすい傾向にある。しかし、特許文献１に記載の短下肢装具は転倒防止の機能を有するものではない。
【０００４】
また、脳卒中片麻痺や腓骨神経麻痺などを発症した者の多くは、内反尖足の傾向が強いので、特に内反尖足の矯正が重要であるが、同文献では拇指を引き上げるように趾間ベルトが設けられており、内反尖足の矯正には適さない。
【０００５】
さらに、外出時においてはこの短下肢装具の上に靴を着用しなければならないが、片麻痺を有する者にとって、このような短下肢装具と靴を重ねて着用することは大きな負担である。短下肢装具の上に着用する靴も通常のものより大きいサイズになる。
【０００６】
この発明は、脳卒中片麻痺や腓骨神経麻痺による内反尖足や下垂足、あるいは足の筋力低下による歩行困難が生じた者の歩行中の転倒を防止でき、しかも着用しやすい靴型装具を提供することを目的とする。
【課題を解決するための手段】
【０００７】
上述の課題を解決するため、この発明の靴型装具は、かかと部に開放部を有する靴本体部と、ベルト部材を備えた靴型装具であり、ベルト部材の固定端部は靴本体部の外足側後部に固定されており、靴本体部の小指の付け根部の位置にはベルト部材接続部が設けられており、着用時においてベルト部材は外足側のくるぶし上を通り、かかと開放部をふさぎ、先端部がベルト部材接続部に接続されるものである。ベルト部材接続部は、面ファスナであってもよく、また、環状部材であってもよい。
【発明の効果】
【０００８】
この発明の靴型装具は、小指の付け根部をベルト部材で引き上げることによって、脳卒中片麻痺や腓骨神経麻痺による内反尖足や下垂足、あるいは足の筋力低下による歩行困難が生じた者が転倒することを防止できるという効果を有する。装具の機能と靴の機能を合わせて持つので、この靴型装具を装着するだけで屋外を歩行できる。着用が容易であり、片麻痺の者でも介護者の補助を受けることなく自力で着用することができる。
【発明を実施するための最良の形態】
【０００９】
この発明を実施するための最良の形態について、図面に基づいて説明する。図１は靴型装具の斜視図であり、ベルト部材を開いた状態を示す。図２は靴型装具を示す背面図である。図３は靴型装具の斜視図であり、ベルト部材を閉じた状態を示す。
【００１０】
図１から図３に示す靴型装具１は右足用であり、左足用はこれと左右対称である。靴型装具１は靴本体部２とベルト部材３を備える。靴本体部２は、全体的に通常の靴と類似した外観をしており、運動靴のように浅いものからバスケットシューズのように足首の上部まで包むものなど、さまざまな形状を選択することができる。素材としても、布・ゴム・合成樹脂・革などさまざまな硬さのものが使用でき、また、これらの素材の組合せでも良いが、装具としての効果を高めるためにはある程度硬い素材を選択することが好ましい。
【００１１】
靴本体部２のかかと部には開放部４が形成されており、かかと板の高さが側板よりも低くなっている。靴本体部２の外足側後部において、ベルト部材３が固定して取り付けられている。靴本体部２とベルト部材３は一体として形成しても良いが、別々に作って縫製等によって取り付けても良い。また、靴本体部２の小指の付け根部の位置にはベルト部材接続部５が設けられている。本例においては、ベルト部材接続部５として面ファスナが小指の付け根部の位置に取り付けられている。
【００１２】
ベルト部材３の先端部には面ファスナ６が設けられている。着用時において、ベルト部材３は使用者の外足側のくるぶし上を通り、かかと開放部４をふさぎ、先端部がベルト部材接続部５に接続されるものである。したがって、かかと部にあたる部分においてベルト部材３は十分な幅を有し、閉じた状態において通常の靴のかかと部が有する程度の高さを形成するようになっている。
【００１３】
さらに、ベルト部材３は内足側に巻きつけられるように本体部２に当接し、前部を通過して、靴本体部２の小指の付け根部に達する。ベルト部材３の先端部に設けられた面ファスナ６は、ベルト部材接続部５の面ファスナと張り合わせるようになっている。
【００１４】
次に、この靴型装具１の着用について説明する。この靴型装具１はさまざまな障害者に適用可能であるが、ここでは特に運動能力が制限された片麻痺の者が着用する例で説明する。例えば、右足が麻痺しているときには右手も麻痺している場合が多い。この場合、玄関先などに腰を下ろし、左ひざを立てた状態にし、右足をこの左ひざの上にのせる。左手で右足用の靴型装具１を持ち、足先を靴型装具１の後部から入れる。麻痺があると足首の角度を自力で変えることができないが、この靴型装具１のかかと部は開放部４によって開放されているので、足首の角度を変えることなくスリッパを履くような感覚で、足を入れることができる。ついで、左手でベルト部材３を持ち、ベルト部材３を外足側のくるぶしの上に当て、さらにかかと部の開放部４を閉じるように当て、内足側に巻きつけるように靴本体部２に当て、前部（つま先部の上）を通過して、ベルト部材３の先端部を小指の付け根部に合わせる。ベルト部材３の先端部に設けられた面ファスナ６と、ベルト部材接続部５の面ファスナ６と張り合わせることによって右足への着用が完了する。左足用も同様に着用すればよいが、麻痺のない足においては、靴本体部２へ足を入れる作業はより簡単である。ベルト部材３の取付けは全く同じである。
【００１５】
以上、靴型装具１を着用したら、そのまま外出することができる。ベルト部材３によって小指の付け根部が引き上げられるので、歩行において足先を自然に持ち上げることができ、転倒を防止することができる。この靴型装具１は通常の靴と同様に素足の上または靴下の上に着用するので、靴型装具１のサイズも通常の靴と同じである。たとえば、通常の靴において２５ｃｍのサイズの靴を履く人に対して、この靴型装具１の靴本体部２も２５ｃｍのサイズとなる。また、着用した状態において、矯正装具であることを感じさせるような特殊な外観はなく、むしろ通常の靴に近い自然な外観である。
【００１６】
つぎにこの発明の別の形態について説明する。図４はベルト部材接続部５の例を示す斜視図である。この形態において、ベルト部材接続部５は環状部材である。たとえば、Ｄ管と呼ばれる金属製の部材を縫製等で靴本体部２の小指の付け根部の位置に固定することができる。一方、ベルト部材接続３には、先端部およびそれより若干離れた位置にそれぞれ面ファスナ６ａ、６ｂが設けられている。
【００１７】
着用の仕方は先述の形態とほぼ同じであるが、ベルト部材３のベルト部材接続部５への取り付け方が異なるので、この点について説明する。ベルト部材３の先端部を環状部材（ベルト部材接続部５）の中に通し、先端部を内足側へ向いて引く。そして、２つの面ファスナ６ａ、６ｂの位置を合わせ、張り合わせる。この形態では、環状部材で折り返したベルト部材３の先端部を引くことによって、より強い張力でベルト部材接続部５を引っ張ることができる。したがって、小指の付け根部を引き上げる作用を高めることができる。
【産業上の利用可能性】
【００１８】
この発明は、脳卒中片麻痺や腓骨神経麻痺による内反尖足や下垂足、あるいは足の筋力低下による歩行困難が生じた者の転倒を防止するための靴型装具として利用できる。着用が容易であり、片麻痺を有する者でも使用できる。
【図面の簡単な説明】
【００１９】
【図１】靴型装具の斜視図であり、ベルト部材を開いた状態を示す。
【図２】靴型装具を示す背面図である。
【図３】靴型装具の斜視図であり、ベルト部材を閉じた状態を示す。
【図４】ベルト部材接続部の例を示す斜視図である。
【符号の説明】
【００２０】
１．靴型装具
２．靴本体部
３．ベルト部材
４．開放部
５．ベルト部材接続部
６．面ファスナ
【図１】
2007313053.tif 000003
【図２】
2007313053.tif 000004
【図３】
2007313053.tif 000005
【図４】
2007313053.tif 000006